(57)【要約】【課題】容易に電子装置の音量を調整することができる手持ち装置及びその音量調整方法を提供する。【解決手段】本発明に係る手持ち装置は、電子装置から出力された音量を調整するために用いられる。また、電子装置から出力された音量値を収集するために用いられる音声収集ユニットと、音声収集ユニットによって収集された音量値と予め設定された標準音量値との間の差値を取得し、且つ該差値に基づいて音量調整信号を生成して電子装置から出力された音量を調整するために用いられる調整ユニットと、を備える。【選択図】図２
2014075791.tif 000002
【特許請求の範囲】
【請求項１】
電子装置から出力された音量を調整するために用いられる手持ち装置であって、
前記電子装置から出力された音量値を収集するために用いられる音声収集ユニットと、
前記音声収集ユニットによって収集された音量値と予め設定された標準音量値との間の差値を取得し、且つ前記差値に基づいて音量調整信号を生成して前記電子装置から出力された音量を調整するために用いられる調整ユニットと、
を備えることを特徴とする手持ち装置。
【請求項２】
前記手持ち装置は、切替信号を検出する際に第一検出信号を生成するための制御ユニットをさらに備え、前記切替信号は、前記電子装置を制御して現在再生している第一番組から次の第二番組に切り替えるために用いられ、前記制御ユニットは、前記第一検出信号によって前記音声収集ユニットを制御して前記電子装置の第二番組から出力された音量値を収集することを特徴とする請求項１に記載の手持ち装置。
【請求項３】
前記音声収集ユニットは、前記第一検出信号に応答して予め設定された時間内に、且つ予め設定された周波数によって前記電子装置の第二番組から出力された音量値を収集するために用いられ、該収集された音量値は、前記音声収集ユニットが予め設定された時間内に収集した第二番組から出力された音量値の平均値であることを特徴とする請求項２に記載の手持ち装置。
【請求項４】
前記差値は、収集された音量値と標準音量値との間の差値であり、前記音量調整信号は、前記差値に基づいて、前記電子装置から出力された音量値を標準音量値に調整するために用いられることを特徴とする請求項１から３のいずれかの一項に記載の手持ち装置。
【請求項５】
収集された音量値が予め設定された音量値の範囲内にあるかどうかを判断するために用いられる判断ユニットをさらに備え、収集された音量値が予め設定された音量値の範囲内にある場合、前記調整ユニットは、前記差値に基づいて音量調整信号を生成して前記電子装置に送信して、前記電子装置の第二番組から出力された音量値を調整することを特徴とする請求項１から４のいずれかの一項に記載の手持ち装置。
【請求項６】
収集された音量値が予め設定された音量値の範囲内にない場合、前記判断ユニットは、第二検出信号を生成し、前記音声収集ユニットは前記第二検出信号に応答して予め設定された時間内に、且つ予め設定された周波数によって第二番組から出力された音量値を収集し続けることを特徴とする請求項５に記載の手持ち装置。
【請求項７】
電子装置から出力された音量を調整するための音量調整方法は、
標準音量値を設定するステップと、
前記電子装置から出力された音量を収集するステップと、
該収集された音量値と標準音量値との間の差値を取得し、且つ音量調整信号を前記電子装置に送信して前記電子装置から出力された音量値の大小を調整するステップと、
を備えることを特徴とする音量調整方法。
【請求項８】
前記収集された音量値を取得するステップは、
予め設定された時間内に、且つ予め設定された周波数によって第二番組から出力された音量値を収集するサブステップと、
収集した第二番組から出力された音量値の平均値を計算し、且つ該平均値を参考音量値に設定するサブステップと、
を備えることを特徴とする請求項７に記載の音量調整方法。
【発明の詳細な説明】
【技術分野】
【０００１】
本発明は、手持ち装置に関し、特に電子装置の音量を調整するための手持ち装置及びその音量調整方法に関するものである。
【背景技術】
【０００２】
現在、テレビやディスプレイなどのような電子装置によって、テレビ番組を再生している際に、現在観ている番組（第一番組）から次の番組（第二番組）に切り替えると、突如該第二番組の音量が小さくなるか又は大きくなる場合がある。この時、ユーザは、手動によって遠隔制御することによって適切なレベルに音量を調整しければならないため、操作が面倒である。
【発明の概要】
【発明が解決しようとする課題】
【０００３】
本発明の目的は、前記課題を解決するために、容易に電子装置の音量を調整することができる手持ち装置及びその音量調整方法を提供することである。
【課題を解決するための手段】
【０００４】
前記目的を達成するために、本発明に係る手持ち装置は、電子装置から出力された音量を調整するために用いられる。また、前記電子装置から出力された音量値を収集するために用いられる音声収集ユニットと、前記音声収集ユニットによって収集された音量値と予め設定された標準音量値との間の差値を取得し、且つ前記差値に基づいて音量調整信号を生成して前記電子装置から出力された音量を調整するために用いられる調整ユニットと、を備える。
【０００５】
前記目的を達成するために、本発明に係る音量調整方法は、標準音量値を設定するステップと、前記電子装置から出力された音量を収集するステップと、収集された音量値と標準音量値との間の差値を取得し、且つ音量調整信号を前記電子装置に送信して前記電子装置から出力された音量値の大小を調整するステップと、を備える。
【発明の効果】
【０００６】
本発明の手持ち装置及び音量調整方法は、音声収集ユニットによって収集された音量値と予め設定された標準音量値との間の差値に基づいて、音量調整信号を生成して前記電子装置から出力された音量を自動で調整することができる。従って、操作が容易である。
【図面の簡単な説明】
【０００７】
【図１】本発明の実施形態に係る再生システムを示す図である。
【図２】図１に示す再生システムの機能ブロック図である。
【図３】本発明の実施形態に係る音量調整方法のフローチャートである。
【発明を実施するための形態】
【０００８】
以下、図面を参照して、本発明の実施形態について説明する。
【０００９】
図１を参照すると、再生システム１００は、電子装置１０及び電子装置１０を制御するための手持ち装置２０を備える。手持ち装置２０は、リモコン、携帯電話、携帯端末（ＰＤＡ）、タブレットパソコン等であることができる。手持ち装置２０は電子装置１０に無線接続される。例えば、Ｗｉ−Ｆｉ（登録商標）、ブルートゥース（登録商標）又は赤外線によって接続される。電子装置１０は、テレビ、ディスプレイ等であることができる。本実施形態において、電子装置１０は画面及び音声を再生することができ、電子装置１０と手持ち装置２０とは前記Ｗｉ−Ｆｉによって接続される。
【００１０】
図２を参照すると、手持ち装置２０は、第一無線通信ユニット２１と、表示ユニット２２と、設定ユニット２３と、制御ユニット２４と、音声収集ユニット２５と、計算ユニット２６と、判断ユニット２７と、調整ユニット２８と、を備える。
【００１１】
第一無線通信ユニット２１は、ユーザの操作に応答して電子装置１０に無線接続されて、データ転送を行う。具体的には、第一無線通信ユニット２１は、ユーザの操作に応答して起動コマンドを生成して、手持ち装置２０と電子装置１０との間を通信接続させ、且つデータ転送を行う。
【００１２】
表示ユニット２２は、情報を表示するために用いられる。表示ユニット２２は、静電容量式又は抵抗膜式タッチパネルであり、ユーザはタッチパネルによって入力操作を行うことができる。
【００１３】
設定ユニット２３は、ユーザの入力操作に応答して標準音量値を予め設定するために用いられる。具体的には、設定ユニット２３は、入力モジュール２３０及び設定モジュール２３２を備える。ユーザが設定ユニット２３を操作している際、入力モジュール２３０は入力ウィンドウを提供し、且つユーザが入力操作によって設定コマンドを生成するために用いられる。設定モジュール２３２は、前記設定コマンドに応答してユーザによって入力された音量値を設定し、且つ標準音量値として記憶するために用いられる。その中で、該標準音量値は、ユーザの要求及び現在の周囲の環境に応じて設定することができる。例えば、騒音が激しい環境の中でテレビを見る場合、比較的大きな音量を設定することができ、これとは逆に、静かな環境でテレビを見る場合、比較的小さな音量を設定することができる。本実施形態において、ユーザによって設定された音量値は５０ｄＢである。
【００１４】
設定ユニット２３は、表示ユニット２２に表示されたボタンである。他の実施形態において、設定ユニット２３は手持ち装置２０に設置されている特定のボタンであることができ、ユーザは該特定のボタンを操作することによって標準音量値を設定する。例えば、設定ユニット２３は、手持ち装置２０に設置されている３つのボタンであり、３つのボタンは、それぞれ強、中、弱のような異なるレベルの標準音量値に対応する。その中で、強レベルに対応する標準音量値は６０ｄＢであり、中レベルに対応する標準音量値は４５ｄＢであり、弱レベルに対応する標準音量値は３０ｄＢである。ユーザが強レベルのボタンを操作した場合、標準音量値は６０ｄＢに設定され、ユーザが中レベルのボタンを操作した場合、標準音量値は４５ｄＢに設定され、ユーザが弱レベルのボタンを操作した場合、標準音量値は３０ｄＢに設定される。
【００１５】
また、設定ユニット２３は、手持ち装置２０に設置された音量調整キーと確定キーの組み合わせであることができる。その中で、音量調整キーは、“＋”及び“−”を含む。ユーザは、まず対応する音量調整キーを操作することによって標準音量値を選択し、次いで確定キーを操作することによって調整された音量値を標準音量値に設定する。例えば、ユーザは音量調整キー“＋”を操作することによって電子装置１０の音量を５０ｄＢに調整し、次いで確定キーを操作することによって５０ｄＢを標準音量値に設定する。
【００１６】
制御ユニット２４は、切替信号を検出した後、第一検出信号を生成するために用いられる。前記切替信号は、電子装置１０を制御して、現在再生している前記第一番組から次の前記第二番組に切り替える。この第一番組及び第二番組は、テレビ番組、ネットワークオーディオリソース及び歌等であることができる。本実施形態において、第一番組及び第二番組は、テレビ番組である。本実施形態において、切替信号及び第一検出信号は、ユーザが電子装置１０に設置された特定のボタンを操作することによって生成される。他の実施形態において、切替信号及び第一検出信号は、ユーザがそれぞれ手持ち装置２０に設置された異なるボタンを操作することによって生成されることができる。また、切替信号は、現在再生している第一番組から第二番組に切り替えようとする時、電子装置１０によって自動的に生成され、且つ手持ち装置２０に送信することができる。
【００１７】
音声収集ユニット２５は、電子装置１０から出力された音量値を収集するために用いられる。具体的には、音声収集ユニット２５は、第一検出信号に応答して、予め設定された時間内に、且つ予め設定された周波数によって電子装置１０の第二番組から出力された音量値を収集するために用いられる。例えば、音声収集ユニット２５は、１０秒以内において２秒ごとに電子装置１０によって再生された第二番組の音量値を収集する。
【００１８】
計算ユニット２６は、音声収集ユニット２５が収集した音量値に基づいて、参考音量値を算出するために用いられる。その中で、該参考音量値は、予め設定された時間内に第二番組から出力された音量値の平均値である。具体的には、音声収集ユニット２５が音量値を収集した後、計算ユニット２６は、予め設定された時間内に音声収集ユニット２５によって収集された音量値の合計を収集回数で割って、第二番組から出力された音量値の平均値を得る。即ち、参考音量値である。
【００１９】
判断ユニット２７は前記参考音量値が、予め設定された音量値の範囲内にあるかどうかを判断するために用いられる。具体的には、判断ユニット２７には、メーカー又はユーザによって予め設定された音量値の範囲が記憶されている。本実施形態において、予め設定された音量値の範囲は２０ｄＢ〜７０ｄＢである。前記参考音量値が予め設定された音量値の範囲にある場合、判断ユニット２７は処理信号を調整ユニット２８に出力する。参考音量値が予め設定された音量値の範囲にない場合、判断ユニット２７は第二検出信号を音声収集ユニット２５に出力する。音声収集ユニット２５は、第二検出信号に応答して電子装置１０の第二番組から出力された音量値を収集し続ける。具体的には、音声収集ユニット２５は、予め設定された時間内に、且つ予め設定された周波数によって第二番組から出力された音量値を収集し続ける。
【００２０】
例えば、電子装置１０が予め設定された時間内に音無しの映像のみ再生された場合、計算ユニット２６によって計算された参考音量値は０ｄＢである。即ち、予め設定された音量値の範囲にない。この時、判断ユニット２７は第二検出信号を音声収集ユニット２５に出力する。音声収集ユニット２５は、前記第二検出信号に応答して予め設定された時間内に、且つ予め設定された周波数によって第二番組から出力された音量値を再度収集する。また、例えば、電子装置１０が予め設定された時間内に出力した音声が爆発音のような特殊効果音である場合、計算ユニット２６によって計算された参考音量値は９０ｄＢである。即ち、予め設定された音量値の範囲にない。この時、判断ユニット２７は第二検出信号を音声収集ユニット２５に出力する。音声収集ユニット２５は、第二検出信号に応答して予め設定された時間内に、且つ予め設定された周波数によって第二番組から出力された音量値を再度収集する。前記予め設定された時間及び予め設定された周波数は、メーカー又はユーザによって必要に応じて設定することができる。
【００２１】
調整ユニット２８は、処理信号に応答して参考音量値と標準音量値との間の差値を取得し、且つ該差値に基づいて音量調整信号を生成して電子装置１０に送信し、電子装置１０の第二番組から出力された音量値の大小を調整するために用いられる。具体的には、調整ユニット２８は、前記差値に基づいて音量調整信号を電子装置１０に送信して、第二番組から出力された音量値を標準音量値に調整する。その中で、差値が負値である場合、調整信号は、差値に基づいて第二番組から出力された音量値を標準音量値まで増加する。差値が正値である場合、調整信号は、差値に基づいて第二番組から出力された音量値を標準音量値まで低減する。例えば、参考音量値と標準音量値との間の差値が２０ｄＢである場合、調整ユニット２８から生成された音量調整信号に基づいて、第二番組から出力された音量値を２０ｄＢ増加し、第二番組から出力された音量値は標準音量値５０ｄＢに等しくなる。
【００２２】
電子装置１０には、第二無線通信ユニット１１と、音声生成ユニット１３と、処理ユニット１５と、音声出力ユニット１７と、を備える。
【００２３】
第二無線通信ユニット１１は、第一無線通信ユニット２１から送信された起動コマンドに応答して、手持ち装置２０に無線接続してデータ転送を行う。
【００２４】
音声生成ユニット１３は、音声信号を生成するために用いられる。具体的には、音声生成ユニット１３は、外界の無線ネットワークから送信されたビデオ信号を受信し、且つ対応する音声信号を生成するために用いられる。例えば、音声生成ユニット１３は、テレビ放送局から送信されたテレビチャンネル情報を受信して、対応するテレビチャンネルの音声を生成する。音声生成ユニット１３は、アプリケーションプログラムが起動された後、該アプリケーションプログラムに対応するテレビチャンネルの音声を生成するためも用いられる。アプリケーションは電子装置１０に内蔵されているプログラムである。しかし、電子装置１０に電気的に接続された他の電子装置に内蔵されているプログラムであっても良い。例えば、ネットワークテレビにおいて、ビデオプレーヤを起動した後、生成された音声又はテレビに電気的に接続されたディスクプレーヤによってディスクを再生した後生成された音声である。
【００２５】
処理ユニット１５は、前記切替信号に応答して電子装置１０を制御して第一番組を第二番組に切り替えるために用いられ、且つ音量調整信号に応答して電子装置１０の第二番組から出力された音量を調整するためも用いられる。具体的には、処理ユニット１５は、音量調整信号に応答して電子装置１０の第二番組を予め設定された標準音量値に調整するために用いられる。
【００２６】
音声出力ユニット１７は、電子装置１０の第二番組の音声信号を出力するために用いられる。具体的には、音声出力ユニット１７は、電子装置１０の第二番組の調整前及び調整後の音声信号を出力するために用いられる。例えば、音声出力ユニット１７は、切り替えれた後の第二番組の調整前の音声信号を出力することができる。調整後に出力された第二番組の音量値は、予め設定された標準音量値５０ｄＢである。
【００２７】
図３は、電子装置１０から出力された音量を制御するための調整方法のフローチャートである。調整方法は、以下のステップを含む。
【００２８】
ステップＳ１：手持ち装置２０と電子装置１０との間を通信接続させる。
【００２９】
ステップＳ３：標準音量値を設定する。標準音量値は、ユーザの要求及び現在の周囲の環境に応じて設定することができる。
【００３０】
ステップＳ４：電子装置１０が第一番組から第二番組に切り替えれるかどうかを検出する。電子装置１０が第一番組から第二番組に切り替えれた場合、ステップＳ５を実行する。電子装置１０が第一番組から第二番組に切り替えれない場合、ステップＳ４を実行する。
【００３１】
ステップＳ５：電子装置１０から出力された音量を収集する。電子装置１０が第一番組から第二番組に切り替えれた場合、電子装置１０の第二番組から出力された音量値を収集する。
【００３２】
ステップＳ７：収集された前記音量値に基づいて参考音量値を計算する。該参考音量値は、予め設定された時間内に、且つ予め設定された周波数によって収集した第二番組から出力された音量値の平均値である。
【００３３】
ステップＳ９：前記参考音量値が予め設定された音量値の範囲内にあるかどうかを判断する。参考音量値が予め設定された音量値の範囲内にある場合、ステップＳ１１を実行する。参考音量値が予め設定された音量値の範囲内にない場合、ステップＳ５に戻る。
【００３４】
ステップＳ１１：前記参考音量値と標準音量値との間の差値を取得し、且つ音量調整信号を電子装置１０に送信して電子装置１０から出力された音量値の大小を調整する。具体的には、電子装置１０が第一番組から第二番組に切り替えれた場合、調整信号は、差値に基づいて電子装置１０の第二番組から出力された音量値を標準音量値に調整する。
【００３５】
本発明の手持ち装置２０及びその音量調整方法において、電子装置１０が第二番組に切り替えれた後、音声出力ユニット１７から出力された音声信号の音量値を収集して調整することによって、電子装置１０から出力された音声信号の音量値を、ユーザの要求及び現在の周囲の環境に応じて設定された音量値にするため、ユーザの要求を満たすことができる。
【００３６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００３７】
１０    電子装置
１１    第二無線通信ユニット
１３    音声生成ユニット
１５    処理ユニット
１７    音声出力ユニット
２０    手持ち装置
２１    第一無線通信ユニット
２２    表示ユニット
２３    設定ユニット
２４    制御ユニット
２５    音声収集ユニット
２６    計算ユニット
２７    判断ユニット
２８    調整ユニット
１００  再生システム
２３０  入力モジュール
２３２  設定モジュール
【図１】
2014075791.tif 000003
【図２】
2014075791.tif 000004
【図３】
2014075791.tif 000005